(57)【要約】【課題】濃淡２色の化粧料を、グラデーションをつけながら肌に簡単に塗布することのできる化粧方法を提供する。【解決手段】棒状化粧料１０として、その長手方向に沿って延びる境界面１５を介して一体的に組み合わせられた濃淡２色の化粧料Ａ、Ｂからなり、その横断面において、濃色化粧料Ａの断面と淡色化粧料Ｂの断面とが特定の配置となるよう設定されたものを用いる。そして、上記棒状化粧料１０の先端部を化粧対象部に当てて、横にすべらせることにより、上記２つの色からなる色の帯を、化粧料対象部位に塗布する化粧方法である。【選択図】図１
2018149390.tif 000002
【特許請求の範囲】
【請求項１】
略筒状の繰り出し容器内に収納され、その先端が上記繰り出し容器から繰り出される棒状化粧料を用いた化粧方法であって、
上記棒状化粧料が、棒状の長手方向に沿って延びる境界面を介して濃淡２色の化粧料Ａ、Ｂを一体的に組み合わせたものであり、
その横断面が、幅方向の寸法に比べて前後方向の寸法が大きい輪郭形状を有するとともに、この横断面を前後方向に横切る仮想線Ｘに対し垂直な２本の仮想線Ｙ1、Ｙ2で３つの領域に区分され、一端側に位置する第１の領域が、濃色化粧料Ａの断面のみで構成され、中間に位置する第２の領域が、濃色化粧料Ａの断面と淡色化粧料Ｂの断面とで構成され、他端側に位置する第３の領域が、淡色化粧料Ｂの断面のみで構成されており、
上記棒状化粧料の先端部を化粧対象部に当てて、横にすべらせることにより、上記濃色化粧料Ａのみからなる部分と、上記淡色化粧料Ｂのみからなる部分と、その間で互いの色が混じり合ってグラデーションとなる部分とを、色の帯として化粧対象部に塗布することを特徴とする化粧方法。
【請求項２】
上記棒状化粧料の横断面における仮想線Ｘのうち、第１の領域を横切る部分の長さをＰとし、同じく第２の領域を横切る部分の長さをＱとし、同じく第３の領域を横切る部分の長さをＲとすると、互いの比率Ｐ：Ｑ：Ｒが、１：１〜５：１〜５に設定されている請求項１記載の化粧方法。
【請求項３】
上記棒状化粧料の横断面において、上記濃色化粧料Ａの断面形状と上記淡色化粧料Ｂの断面形状が、上記仮想線Ｘを中心として、それぞれ左右対称形となるよう設定されているとともに、上記第２の領域の少なくとも左右両端部が淡色化粧料Ｂの断面で構成されている請求項１または２記載の化粧方法。
【請求項４】
上記棒状化粧料の先端部が、淡色化粧料Ｂの側から濃色化粧料Ａの側に向かって３〜２０°の角度で傾斜する下りの傾斜面になっている請求項１〜３のいずれか一項に記載の化粧方法。
【請求項５】
上記棒状化粧料の先端周縁部全体に、曲率半径０．２〜２ｍｍの丸みがつけられている請求項１〜４のいずれか一項に記載の化粧方法。
【請求項６】
上記棒状化粧料が、アイシャドウである請求項１〜５のいずれか一項に記載の化粧方法。
【発明の詳細な説明】
【技術分野】
【０００１】
本発明は、肌や唇に濃淡２色の化粧料を同時に塗布することのできる化粧方法に関するものである。
【背景技術】
【０００２】
口紅やアイシャドウ等のメイクアップ化粧料を用いて化粧する場合、単一の色のみを用いるのではなく、色味や濃淡の異なる複数の色を組み合わせることによって、陰影のある印象的なメイクアップを施すことがよく行われている。
【０００３】
そのため、組み合わせて用いるのに適した、色の異なる複数の化粧料を、それぞれ浅皿状の中皿に充填して、一つのコンパクトタイプの容器に並べて収容した化粧料容器が数多く出回っている。
【０００４】
このような化粧料容器の一例を図１０に示す。このものは、白色、灰色、紺色、の３色のアイシャドウ１〜３が、この順で左から横一列に収容されているもので、手前の凹部４には、２本の化粧チップ（白色のアイシャドウ１用と、他の色のアイシャドウ２、３用、どちらも図示せず）が収容されるようになっている。
【０００５】
この化粧料容器のアイシャドウ１〜３を用いて化粧をする場合、まず、上瞼全体に白色のアイシャドウ（ハイライトカラー）１を塗り、つぎに、上瞼の下半分ぐらいを目安に灰色のアイシャドウ（ミディアムカラー）２を塗る。そして、さらに上瞼のまつげのきわに、紺色のアイシャドウ（ダークカラー）３を塗る。そして、互いの色の境界部分を、化粧チップもしくは指でぼかし、徐々に色が変化するグラデーションにして、境界を曖昧にして仕上げる。このようにすると、陰影のある、印象的な目元を作ることができる。
【０００６】
しかし、瞼の上でアイシャドウ１〜３の境界をぼかしてグラデーションにする作業を行うのは容易でなく、左右のグラデーションが不揃いになりやすいという問題がある。
【０００７】
そこで、予めコンパクト容器内で２つの色を混ぜて中間色を作りながら唇や目元にバランスよく塗布していくことができるようにした化粧料容器も提案されている（下記の特許文献１を参照）。
【先行技術文献】
【特許文献】
【０００８】
【特許文献１】特開２０００−２６２３２３号公報
【発明の概要】
【発明が解決しようとする課題】
【０００９】
しかしながら、瞼の上でグラデーションを作るにしても、コンパクト容器内で中間色を作るにしても、濃淡のバランスを考えながら二つの色を混ぜ合わせる必要があり、手間を要することに変わりはない。そして、とりわけアイシャドウやチークカラーの場合、左右のグラデーションが対称となるように仕上げる必要があるため、左右を見比べて化粧を行わなければならず、さらに手間を要する。
【００１０】
本発明は、このような事情に鑑みてなされたもので、濃淡２色の化粧料を、グラデーションをつけながら肌や唇に簡単に塗布することのできる化粧方法の提供をその目的とする。
【課題を解決するための手段】
【００１１】
上記の目的を達成するため、本発明は、略筒状の繰り出し容器内に収納され、その先端が上記繰り出し容器から繰り出される棒状化粧料を用いた化粧方法であって、上記棒状化粧料が、棒状の長手方向に沿って延びる境界面を介して濃淡２色の化粧料Ａ、Ｂを一体的に組み合わせたものであり、その横断面が、幅方向の寸法に比べて前後方向の寸法が大きい輪郭形状を有するとともに、この横断面を前後方向に横切る仮想線Ｘに対し垂直な２本の仮想線Ｙ1、Ｙ2で３つの領域に区分され、一端側に位置する第１の領域が、濃色化粧料Ａの断面のみで構成され、中間に位置する第２の領域が、濃色化粧料Ａの断面と淡色化粧料Ｂの断面とで構成され、他端側に位置する第３の領域が、淡色化粧料Ｂの断面のみで構成されており、上記棒状化粧料の先端部を化粧対象部に当てて、横にすべらせることにより、上記濃色化粧料Ａのみからなる部分と、上記淡色化粧料Ｂのみからなる部分と、その間で互いの色が混じり合ってグラデーションとなる部分とを、色の帯として化粧対象部に塗布する化粧方法を第１の要旨とする。
【００１２】
また、本発明は、そのなかでも、特に、上記棒状化粧料の横断面における仮想線Ｘのうち、第１の領域を横切る部分の長さをＰとし、同じく第２の領域を横切る部分の長さをＱとし、同じく第３の領域を横切る部分の長さをＲとすると、互いの比率Ｐ：Ｑ：Ｒが、１：１〜５：１〜５に設定されている化粧方法を第２の要旨とする。
【００１３】
さらに、本発明は、それらのなかでも、特に、上記棒状化粧料の横断面において、上記濃色化粧料Ａの断面形状と上記淡色化粧料Ｂの断面形状が、上記仮想線Ｘを中心として、それぞれ左右対称形となるよう設定されているとともに、上記第２の領域の少なくとも左右両端部が淡色化粧料Ｂの断面で構成されている化粧方法を第３の要旨とする。
【００１４】
そして、本発明は、それらのなかでも、特に、上記棒状化粧料の先端部が、淡色化粧料Ｂの側から濃色化粧料Ａの側に向かって３〜２０°の角度で傾斜する下りの傾斜面になっている化粧方法を第４の要旨とし、上記棒状化粧料の先端周縁部全体に、曲率半径０．２〜２ｍｍの丸みがつけられている化粧方法を第５の要旨とする。
【００１５】
そして、本発明は、それらのなかでも、特に、棒状化粧料が、アイシャドウである化粧方法を第６の要旨とする。
【発明の効果】
【００１６】
すなわち、本発明の化粧方法は、繰り出し容器に収納してその先端を繰り出しながら化粧する棒状化粧料を用いた化粧方法であって、まず、その棒状化粧料が、濃淡２色の化粧料Ａ、Ｂを一体的に組み合わせたものである。しかも、その濃淡２色の化粧料Ａ、Ｂの配置が、上記のように特殊な配置になっているため、この棒状化粧料の先端部を肌に当てて、横にすべらせるだけで、濃色化粧料Ａのみからなる濃い色と、淡色化粧料Ｂのみからなる淡い色と、その間で、濃い色と薄い色が混じり合ってグラデーションとなる部分とが、色の帯として化粧対象部（肌や唇を指す、以下単に「肌」という）に塗布されるようになっている。したがって、複雑な色合いの、陰影に富んだ化粧を、簡単な動作で行うことができる。
【００１７】
なお、本発明において、「濃い色」と「淡い色」、あるいは「濃色」と「淡色」の文言は、濃淡の異なる２つの色を、互いの相対的な濃淡の差で区別したものであり、客観的な基準値にもとづくものではない。
【００１８】
そして、上記棒状化粧料を用いた化粧方法によれば、これを収納した繰り出し容器から、その先端を繰り出して肌に当てるだけで化粧することができるため、手指が汚れず、また化粧筆や化粧チップも不要である。したがって、携帯に便利で、いつでもどこででも手軽に化粧することができる。
【００１９】
なお、本発明のなかでも、特に、上記棒状化粧料として、上記横断面における仮想線Ｘのうち、第１の領域を横切る部分の長さをＰとし、同じく第２の領域を横切る部分の長さをＱとし、同じく第３の領域を横切る部分の長さをＲとすると、互いの比率Ｐ：Ｑ：Ｒが、１：１〜５：１〜５に設定されているものを用いると、とりわけ、得られる化粧における濃淡のバランスが優れており、美麗なグラデーションをつけることができるため好適である。
【００２０】
また、本発明のなかでも、特に、上記棒状化粧料として、その横断面において、上記濃色化粧料Ａの断面形状と上記淡色化粧料Ｂの断面形状が、上記仮想線Ｘを中心として、それぞれ左右対称形となるよう設定されているとともに、上記第２の領域の少なくとも左右両端部が淡色化粧料Ｂの断面で構成されているものを用いると、グラデーション部分の端部に濃色化粧料Ａがそのまま残るようなことがなく、より美麗な仕上がりのグラデーションを得ることができる。
【００２１】
さらに、本発明のなかでも、特に、上記棒状化粧料として、その先端部が、淡色化粧料Ｂの側から濃色化粧料Ａの側に向かって３〜２０°の角度で傾斜する下りの傾斜面になっているものを用いると、より化粧動作がしやすくなり、好適である。
【００２２】
また、本発明のなかでも、特に、上記棒状化粧料として、その先端周縁部全体に、曲率半径０．２〜２ｍｍの丸みがつけられているものを用いると、さらに化粧動作がしやすくなり、好適である。
【００２３】
そして、本発明のなかでも、特に、上記棒状化粧料が、アイシャドウである場合には、従来、棒状の繰り出しタイプが殆ど出回ってなかったアイシャドウを用いて、一塗りで簡単に、左右対称の美麗なメイクアップを、左右の目元に施すことができるため好適である。
【図面の簡単な説明】
【００２４】
【図１】本発明の一実施の形態に用いられる棒状化粧料を繰り出し容器に収納した状態を示す外観斜視図である。
【図２】（ａ）は上記一実施の形態に用いられる棒状化粧料の横断面図、（ｂ）はそのｘ−ｘ′断面図、（ｃ）はそのｙ−ｙ′断面図である。
【図３】（ａ）は上記棒状化粧料の製造に用いられる底型の縦断面図、（ａ′）はその平面図、（ｂ）は同じくピン型の縦断面図、（ｂ′）はその平面図、（ｃ）は同じく下型と上型の縦断面図、（ｃ′）はそれらの平面図である。
【図４】（ａ）、（ｂ）は、ともに上記棒状化粧料の製造方法の説明図である。
【図５】上記棒状化粧料を用いて得られる化粧の仕上がりの説明図である。
【図６】（ａ）〜（ｆ）は、いずれも上記棒状化粧料の変形例を示す説明図である。
【図７】（ａ）〜（ｈ）は、いずれも上記棒状化粧料の他の変形例を示す説明図である。
【図８】（ａ）〜（ｄ）は、いずれも上記棒状化粧料のさらに他の変形例を示す説明図である。
【図９】（ａ）〜（ｃ）は、いずれも上記棒状化粧料の他の変形例を示す説明図である。
【図１０】従来の、色の異なる複数のアイシャドウが収容された化粧料容器の説明図である。
【発明を実施するための形態】
【００２５】
つぎに、本発明の実施の形態を、図面にもとづいて詳しく説明する。ただし、本発明は、以下の実施の形態に限定されるものではない。
【００２６】
図１は、本発明の一実施の形態に用いられる棒状化粧料１０を、繰り出し容器１１の本体１２に収納した状態を示している。１３は、上記繰り出し容器１１のキャップである。
【００２７】
より詳しく説明すると、上記棒状化粧料１０は、濃色化粧料Ａ（濃紺色のアイシャドウ）と淡色化粧料Ｂ（白色のアイシャドウ）とを一体的に組み合わせて構成されたアイシャドウで、その横断面が楕円形になっている。そして、上記繰り出し容器１１も、それに合わせて横断面が楕円形になっている。
【００２８】
また、上記棒状化粧料１０の下部は、繰り出し容器１１の本体１２内に設けられた昇降ガイド（図示せず）に嵌入一体化されており、上記昇降ガイドの昇降に伴い、棒状化粧料１０が本体１２から繰り出されたり収納されたりするようになっている。
【００２９】
上記棒状化粧料１０の濃色化粧料Ａと淡色化粧料Ｂとは、その棒状の長手方向、すなわち図１において上下方向に沿って延びる境界面１５を介して一体化されている。そして、その横断面は、図２（ａ）に示すようになっており、上記濃色化粧料Ａの断面と上記淡色化粧料Ｂの断面との境界線１５ａが、この横断面を横切る仮想線Ｘ（この例では、横断面の楕円の長軸と重なる線）との交差点を頂点とする部分楕円弧状になっている。
【００３０】
したがって、上記濃色化粧料Ａの断面形状と淡色化粧料Ｂの断面形状は、上記仮想線Ｘを中心（対称軸）として、互いに左右対称形になっており、上記仮想線Ｘに対し垂直な２本の仮想線Ｙ1 、Ｙ2 によって、つぎの３つの領域に区分することができる。すなわち、上記仮想線Ｙ1 によって区切られる、濃色化粧料Ａの断面のみで構成された第１の領域２０と、上記仮想線Ｙ1 、Ｙ2 の間に挟まれる、濃色化粧料Ａの断面と淡色化粧料Ｂの断面とで構成された第２の領域２１と、上記仮想線Ｙ2 によって区切られる、淡色化粧料Ｂの断面のみで構成された第３の領域２２である。
【００３１】
そして、上記第２の領域２１においては、その中心側に、部分楕円弧状の境界線１５ａで囲われた濃色化粧料Ａが配置され、その左右両端部が、淡色化粧料Ｂの断面で構成されている。
【００３２】
なお、上記棒状化粧料１０の横断面寸法は、長軸方向（＝前後方向）の長さＬが１８ｍｍ、短軸方向（＝左右方向）の幅Ｍが１０ｍｍに設定されている。また、上記棒状化粧料１０の先端部（化粧に用いる部分）は、図２（ａ）のｘ−ｘ′断面図である図２（ｂ）に示すように、上記仮想線Ｘの延びる方向、すなわち楕円形状の長軸方向に沿って、濃色化粧料Ａが配置されている先端側に向かって下り傾斜に形成されている。その傾斜角度θは、この例では１０°に設定されている。なお、図２（ｃ）は、図２（ａ）のｙ−ｙ′断面図である。
【００３３】
上記棒状化粧料１０は、例えば、つぎのようにして得ることができる。すなわち、まず、成型型を準備する。成型型は、図３（ａ）に示す底型３０と、図３（ｂ）に示すピン型３１と、図３（ｃ）に示す上型３２と下型３３のセットである。なお、これらの平面図を、併せて示す〔図３（ａ′）、（ｂ′）、（ｃ′）〕。
【００３４】
上記底型３０は、棒状化粧料１０の先端部を賦形するためのもので、前述の、先端傾斜形状を賦形するために、その賦形用空間の底面が傾斜面になっている。また、上記ピン型３１は、上記底型３０に置き換えて用いられるもので、賦形用空間の底面から垂立するピン３１ａを有し、このピン３１ａの形状は、棒状化粧料１０における濃色化粧料Ａの形状に合致するよう設定されている。さらに、上記上型３２と下型３３は、棒状化粧料１０の、上記先端部以外の部分を賦形するためのもので、どちらも楕円柱を賦形しうる賦形空間を有している。
【００３５】
これらの成型型のうち、まず、上記上型３２と下型３３とを重ね、底側にピン型３１を配置し、ピン３１ａが上型３２と下型３３の賦形空間部分の片側を塞ぐように入り込ませて、上記ピン型３１を取り付ける。そして、図４（ａ）に矢印で示すように、ピン３１ａで塞がれた部分以外の賦形空間部分４０に、淡色化粧料Ｂの材料組成物（加熱により流動性をもたせたもの）を注入して、冷却固化する。
【００３６】
つぎに、ピン型３１を下向きに外し、これに代えて底型３０を取り付ける。そして、図４（ｂ）に示すように、ピン３１ａで塞がれていた賦形空間部分４１に、濃色化粧料Ａの材料組成物（加熱により流動性をもたせたもの）を注入して、冷却固化する。
【００３７】
そして、上型３２を外し、露出した棒状化粧料１０の部分（棒状化粧料１０の根元部）に、繰り出し容器１１（図１参照）の昇降部材を嵌合した後、全体を下型３３および底型３０から外して、繰り出し容器１１に収納する。これにより、図１に示すような、繰り出し容器１１入りの棒状化粧料１０を得ることができる。
【００３８】
このようにして得られた棒状化粧料１０は、濃紺と白色の２色の化粧料Ａ、Ｂが一体的に組み合わせられており、しかも、その両者の配置が、上記のように特殊な配置になっているため、この棒状化粧料１０の先端部を肌に当てて、横にすべらせるだけで、図５に示すように、濃色化粧料Ａのみからなる濃い色（濃紺色）４５と、淡色化粧料Ｂのみからなる淡い色（白色）４６と、その間で、濃い色と薄い色が混じり合ってグラデーションとなる部分４７とが、色の帯４８として肌に塗布されるようになっている。したがって、この棒状化粧料１０を、繰り出し容器１１から繰り出して、左右の上瞼のそれぞれに、瞼の内側から外側に向かって、棒状化粧料１０の先端を当てて一筋塗るだけで、複雑な色合いの、陰影に富んだアイメイクを施すことができる。
【００３９】
しかも、上記棒状化粧料１０を用いた化粧によれば、手指が汚れず、また化粧筆や化粧チップも不要である。したがって、携帯に便利で、いつでもどこででも手軽に化粧することができる。
【００４０】
なお、上記の例において、濃色化粧料Ａとして用いた濃紺色のアイシャドウと、淡色化粧料Ｂとして用いた白色のアイシャドウの組成は、以下に示すとおりである。
【００４１】
〔濃色化粧料Ａの組成〕
パラフィン                                    １０．００重量％
マイクロクリスタリンワックス                    ３．００  〃
オクチルドデカノール                          ４０．００  〃
トリイソステアリン酸ポリグリセリル−２          ５．００  〃
トリ（カプリル酸／カプリン酸）グリセリル      ２２．００  〃
ステアリン酸                                    １．００  〃
シリカ                                        １０．００  〃
硫酸バリウム                                    ３．００  〃
酸化鉄                                          ２．００  〃
酸化チタン                                      １．００  〃
パール剤                                        ３．００  〃
計                                        １００・００  〃
【００４２】
〔淡色化粧料Ｂの組成〕
パラフィン                                    １０．００重量％
マイクロクリスタリンワックス                    ３．００  〃
オクチルドデカノール                          ４０．００  〃
トリイソステアリン酸ポリグリセリル−２          ５．００  〃
トリ（カプリル酸／カプリン酸）グリセリル      １９．５０  〃
ステアリン酸                                    １．００  〃
シリカ                                          ６．５０  〃
硫酸バリウム                                    １．００  〃
パール剤                                      １４．００  〃
計                                        １００・００  〃
【００４３】
上記濃色化粧料Ａ、淡色化粧料Ｂの組成は、この例に限らず、互いに「濃色」、「淡色」の区別が明確となるような色を呈するものであれば、どのような組成であっても差し支えないが、ともに、その油性成分の含有割合が、組成物全体に対し、７０〜８５重量％であることが好適である。すなわち、油性成分が上記の範囲よりも少ないと、化粧料がパウダーに近い感触となり、化粧料を肌に伸ばして塗布しようとしてもパサついて伸びにくくなるおそれがある。また、逆に、油性成分が上記の範囲よりも多いと、伸びはよいが、肌のひだに入り込んでよれたり、てかったりするおそれがある。
【００４４】
また、上記濃色化粧料Ａ、淡色化粧料Ｂは、ともに、棒状としての保形性があり、肌に塗布する際も、ある程度強度が必要であることから、その硬度（直径２ｍｍのレオメータによる）は０．５〜３．０Ｎに設定することが好適である。この範囲を外れると、硬すぎて化粧時の肌への感触が悪かったり、軟らかすぎて保形性に問題が生じたりするおそれがあり、好ましくない。なお、濃色化粧料Ａと淡色化粧料Ｂとを、偏りなく使用するには、配色、使用感に合わせて両者の硬度を調整することが好適である。
【００４５】
そして、上記の例では、棒状化粧料１０の製造時に、上型３２と下型３３として、割型を用いていないが、場合によっては、これらを割型にして、左右方向に外して棒状化粧料１０の成型品を取り出すようにしてもよい。また、ピン型３１に代えて、底型３０に、ピンを挿通させる孔を形成しておき、ピンを挿通した状態で淡色化粧料Ｂの注入固化を行い、ピンを外した状態で濃色化粧料Ａの注入固化を行うようにしてもよい。
【００４６】
また、上記の例では、棒状化粧料１０を１本だけ製造する形で説明したが、図３に示す成型型に代えて、成型用の賦形空間が多数、列状に並ぶ横長の成型型を用いることにより、多数本の棒状化粧料１０を同時に製造することができる。
【００４７】
さらに、本発明では、棒状化粧料１０の横断面における濃色化粧料Ａと淡色化粧料Ｂの配置が重要であるが、濃淡２色の化粧料Ａ、Ｂとその間のグラデーションとをバランスよく仕上げるには、図２に示す横断面の仮想線Ｘのうち、第１の領域２０を横切る部分の長さをＰとし、同じく第２の領域２１を横切る部分の長さをＱとし、同じく第３の領域２２を横切る部分の長さをＲとすると、互いの比率Ｐ：Ｑ：Ｒを、１：１〜５：１〜５に設定することが好適である。
【００４８】
すなわち、Ｐを１とした場合に、Ｑが１未満では、グラデーションとなる領域２１の幅が狭すぎてグラデーションによる効果が乏しくなるおそれがあり、逆にＱが５を超えると、濃色化粧料Ａのみの領域２０と淡色化粧料Ｂのみの領域２２の幅がともに狭くなってめりはりのない化粧になるおそれがある。また、Ｒが１未満では、淡色化粧料Ｂのみの領域２２の幅が狭すぎて、やはり印象が弱いものとなるおそれがあり、逆にＲが５を超えると、淡色化粧料Ｂのみの領域２２の幅が広すぎて、バランスの悪い化粧になるおそれがある。
【００４９】
そして、上記棒状化粧料１０の横断面〔図２（ａ）を参照〕において、その長軸方向の長さＬと短軸方向の幅Ｍは、上記の例に限らず、自由に設定することができる。ただし、この例のように、本発明の棒状化粧料１０がアイシャドウである場合、化粧のしやすさおよび全体の保形性の点から、Ｌは１５〜２５ｍｍ、Ｍは８〜１２ｍｍに設定することが好適である。
【００５０】
さらに、濃色化粧料Ａと淡色化粧料Ｂの組み合わせ方は、図２（ａ）に示す横断面形状となる配置に限らず、さまざまな配置にすることができる。例えば、濃色化粧料Ａと淡色化粧料Ｂの境界線１５ａが、楕円弧状ではなく、図６（ａ）〜（ｄ）に示すような、山形等の突出形状になる配置をあげることができる。また、図６（ｅ）、（ｆ）に示すように、その境界線１５ａの突出が、１つではなく複数（図では２つ）になっていても差し支えない。
【００５１】
また、棒状化粧料１０の横断面の輪郭形状も、楕円である必要はなく、例えば、図７（ａ）に示すように、四隅がやや丸い長方形状や、図７（ｂ）に示すように、淡色化粧料Ｂ側が細くなった略三角形状、あるいは図７（ｃ）に示すように、濃色化粧料Ａ側が細くなった略三角形状であっても差し支えない。バランス的に、濃色化粧料Ａをより濃く見せたい場合は、上記図７（ｂ）のような形のものが好ましく、濃色化粧料Ａをより薄く見せたい場合は、上記図７（ｃ）のような形のものが好ましい。
【００５２】
さらに、図７（ｄ）に示すように、長円形状であってもよいし、図７（ｅ）に示すように、濃色化粧料Ａ側が半円状で淡色化粧料Ｂ側の角がやや丸い矩形状であってもよい。また、図７（ｆ）に示すように、長円形状が片側にやや湾曲した形状であったり、図７（ｇ）に示すように、多角形状（この例では、両側に長い八角形状）であってもよい。また、図７（ｈ）に示すように、濃色化粧料Ａ側の先端を尖った形にすると、この部分を利用して目の間際にくっきりとした濃色化粧料Ａのラインを引くことができる。
【００５３】
なお、上記棒状化粧料１０の横断面において、図８（ａ）や図８（ｂ）に示すように、濃色化粧料Ａの断面と淡色化粧料Ｂの断面とが混在する第２の領域２１の左右両端部に、濃色化粧料Ａの断面が配置されていると、肌への塗り始めの部分に濃色化粧料Ａのみが塗布され、その部分が淡色化粧料Ｂと混ざることなく、そのまま肌に残るおそれがある。このため、肌に残った濃色化粧料Ａの部分を指等で薄く伸ばす必要があり、あまり好ましくない。これに対し、前記の各例のように、濃色化粧料Ａの断面と淡色化粧料Ｂの断面とが混在する第２の領域２１において、その左右両端部に、淡色化粧料Ｂの断面が配置されたものは、そのような手間が不要で、１回の塗布だけで美麗なグラデーションを得ることができ、好適である。
【００５４】
同様の理由から、図８（ｃ）や図８（ｄ）に示すように、棒状化粧料１０の横断面形状が、その長軸方向の中心線〔図２（ａ）における仮想線Ｘ〕に対し左右対称の形になっていない場合も、本来、グラデーションとなる第２の領域２１において、濃色化粧料Ａが部分的にそのまま残るおそれがあるため、あまり好ましくない。
【００５５】
そして、前記の例では、棒状化粧料１０の先端形状を、淡色化粧料Ｂの側から濃色化粧料Ａの側に向かって下り傾斜〔傾斜角度θ＝１０°、図２（ｂ）参照〕にしたが、必ずしもこのような傾斜を付ける必要はない。ただし、化粧のしやすさを考慮すると、傾斜角度θが３〜２０°となる範囲内で、前記の例のように傾斜させることが好適である。
【００５６】
そして、傾斜をつけた場合、これを手に持って肌に塗布する動作がしやすいだけでなく、その突出した方の先端部分（前記の例では、淡色化粧料Ｂのみからなる部分）を単独で利用して、淡色化粧料Ｂのみを塗布することができ、化粧の仕方にバリエーションをもたせることができる。
【００５７】
もちろん、上記の例とは反対に、図９（ａ）に示すように、その、傾斜した形状のうち、高い側の先端に濃色化粧料Ａのみが配置されるような構成にしてもよい。この場合は、上記先端部分の濃色化粧料Ａを単独で利用して、アイライナーのように目元を強調する化粧を施すことができる。
【００５８】
また、同様の考え方により、棒状化粧料１０の先端形状を、図９（ｂ）に示すように、前後にやや凹んだ凹状にすることにより、目のカーブに沿う形で塗布しやすくして、その前端部のみを利用して濃色化粧料Ａ単独の化粧を行ったり、その後端部のみを利用して淡色化粧料Ｂ単独の化粧を行ったりすることができる。さらに、図９（ｃ）に示すように、棒状化粧料１０の先端部の周縁部にテーパをつけて環状のテーパ面５０を形成することによって、このテーパ面５０を肌に当ててライン状の化粧を施すことができる。
【００５９】
もちろん、上記棒状化粧料１０の先端周縁部は、一般に、角部のままであるより、全体に丸み（アール）をつけた方が、肌に当てて横に伸ばす動作を滑らかに行うことができ、好適である。その場合の丸みの曲率半径〔図２（ｂ）、（ｃ）においてＳで示す〕は、０．２〜２ｍｍ程度に設定することが、化粧のしやすさの点で好適である。
【００６０】
なお、本発明に用いられる棒状化粧料は、上記の例のようにアイシャドウに適用する以外に、口紅やチークカラー、フェイスシャドウ等、各種の固形化粧料に適用することができる。ただし、従来、左右の瞼の上に、左右対称にグラデーションをつけることが容易でなかったアイシャドウについて適用することが、最適である。
【産業上の利用可能性】
【００６１】
本発明は、肌に濃淡２色の化粧料を同時に塗布することができ、しかも、互いの色の境界をグラデーションにすることのできる化粧方法に利用することができる。
【符号の説明】
【００６２】
１０  棒状化粧料
１５  境界面
Ａ  濃色化粧料
Ｂ  淡色化粧料
【図１】
2018149390.tif 000003
【図２】
2018149390.tif 000004
【図３】
2018149390.tif 000005
【図４】
2018149390.tif 000006
【図５】
2018149390.tif 000007
【図６】
2018149390.tif 000008
【図７】
2018149390.tif 000009
【図８】
2018149390.tif 000010
【図９】
2018149390.tif 000011
【図１０】
2018149390.tif 000012